(57)【特許請求の範囲】
【請求項１】
背凭れの上部にヘッドレストを備えた椅子において、前記背凭れを、背凭れフレームの前方に背凭れクッションを取り付けたものとし、かつ前記背凭れクッションから後方に離間した前記背凭れフレームにおける上部横杆のほぼ中央部に、前記ヘッドレストを支持するヘッドレスト支持手段を設け、前記ヘッドレスト支持手段を、上部横杆の前面に当接され、かつヘッドレストを支持するほぼ上向きコ字状のスティにおける下端部の横杆が、前後方向に回動可能として装着されたベースブラケットと、該ベースブラケットとともに上部横杆を後方から挾むようにして、上下の端部がベースブラケットに着脱可能として止着されたクランプ手段とを備えるものとし、さらに、前記上部横杆の前側に配置される前カバーと、同じく後側に配置される後カバーとにより、前記ベースブラケット、クランプ、スティの下端部における横杆、及び上部横杆の中央部を包み込むようにして前後から覆い、前記前カバーの上端から前面にかけて、前記スティにおける横杆の両端より上方を向く左右１対の縦杆を外部に導き出す左右の挿通溝を設け、この挿通溝に、ヘッドレストを前傾させたとき、スティの各縦杆と横杆との連結部分である湾曲したコーナー部と前記前カバーとの干渉を防ぐための左右方向の逃げ溝を連設したことを特徴とするヘッドレストを備えた椅子。
【請求項２】
上部横杆とベースブラケットとの対向面のいずれか一方に位置決め用の突部を設け、かつ他方に、前記突部が嵌合する凹部を設けた請求項１記載のヘッドレストを備えた椅子。
【請求項３】
ベースブラケットに位置決め用の突部を設けるとともに、前記突部内に、ヘッドレストを支持するスティ装着用のボルトの頭部を配設した請求項２記載のヘッドレストを備えた椅子。
【請求項４】
ヘッドレスト支持用のスティにおける横杆を所要の抵抗力をもって回動可能に把持する把持手段を、ボルトをもってベースブラケットに取付けた請求項１〜３のいずれかに記載のヘッドレストを備えた椅子。
【請求項５】
ヘッドレストを、スティの縦杆に、上下方向に移動可能に支持するとともに、前記ヘッドレスト側に設けた爪部材が、前記縦杆に設けた係合溝に係合することによって、任意の位置に弾性保持しうるようにした請求項４記載のヘッドレストを備えた椅子。
【発明の詳細な説明】
【０００１】
【発明の属する技術分野】
本発明は、背凭れにヘッドレストを装着した椅子に関する。
【０００２】
【従来の技術】
従来、ヘッドレストは、ヘッドレストの下端から突出した左右１対のスティを、背凭れの上面から背凭れ内部に挿入して、背凭れ内部に収容された取付部に上下動可能に支持させることにより、上下方向に位置調整しうるように、背凭れの上部に取り付けられていた。
【０００３】
【発明が解決しようとする課題】
しかし、上述のように、スティを背凭れ内部に挿入した構成にあっては、スティ及びその支持手段により、背凭れクッションのクッション性が局部的に損なわれ、着座者に異物感を与えるおそれがある。
【０００４】
また、背凭れには、スティが挿入される孔等の加工を施す必要があるため、ヘッドレストを備える背凭れと、ヘッドレストを備えない背凭れとを区別しなければならず、両者における背凭れの共用化が困難である。
さらに、ヘッドレストを着脱する際、背凭れの外装材等を開閉しなければならず、その作業が面倒である。
【０００５】
本発明は、従来の技術が有する上記のような問題点に鑑み、背凭れのクッション性を損なうことがなく、ヘッドレストを装着するものと、そうでないものとの背凭れの共用化を図ることができるとともに、ヘッドレストの着脱時に、背凭れの外装材を開閉する等の必要性をなくしたヘッドレストを備えた椅子を提供することを目的とする。
【０００６】
【課題を解決するための手段】
本発明によると、上記課題は、次のようにして解決される。
(１) 背凭れの上部にヘッドレストを備えた椅子において、前記背凭れを、背凭れフレームの前方に背凭れクッションを取り付けたものとし、かつ前記背凭れクッションから後方に離間した前記背凭れフレームにおける上部横杆のほぼ中央部に、前記ヘッドレストを支持するヘッドレスト支持手段を設け、前記ヘッドレスト支持手段を、上部横杆の前面に当接され、かつヘッドレストを支持するほぼ上向きコ字状のスティにおける下端部の横杆が、前後方向に回動可能として装着されたベースブラケットと、該ベースブラケットとともに上部横杆を後方から挾むようにして、上下の端部がベースブラケットに着脱可能として止着されたクランプ手段とを備えるものとし、さらに、前記上部横杆の前側に配置される前カバーと、同じく後側に配置される後カバーとにより、前記ベースブラケット、クランプ、スティの下端部における横杆、及び上部横杆の中央部を包み込むようにして前後から覆い、前記前カバーの上端から前面にかけて、前記スティにおける横杆の両端より上方を向く左右１対の縦杆を外部に導き出す左右の挿通溝を設け、この挿通溝に、ヘッドレストを前傾させたとき、スティの各縦杆と横杆との連結部分である湾曲したコーナー部と前記前カバーとの干渉を防ぐための左右方向の逃げ溝を連設する。
【０００７】
(２) 上記(１)項において、上部横杆とベースブラケットとの対向面のいずれか一方に位置決め用の突部を設け、かつ他方に、前記突部が嵌合する凹部を設ける。
【０００８】
(３) 上記(２)項において、ベースブラケットに位置決め用の突部を設けるとともに、前記突部内に、ヘッドレストを支持するスティ装着用のボルトの頭部を配設する。
【０００９】
(４) 上記(１)〜(３)項のいずれかにおいて、ヘッドレスト支持用のスティにおける横杆を所要の抵抗力をもって回動可能に把持する把持手段を、ボルトをもってベースブラケットに取付ける。
【００１０】
(５) 上記(４)項において、ヘッドレストを、スティの縦杆に、上下方向に移動可能に支持するとともに、前記ヘッドレスト側に設けた爪部材が、前記縦杆に設けた係合溝に係合することによって、任意の位置に弾性保持しうるようにする。
【００１１】
【発明の実施の形態】
以下、本発明の一実施形態を、図面に基づいて説明する。
図１及び図２は、本発明の一実施形態を備える椅子を示し、(１)は、キャスター(２)付きの脚(３)の上端に支持された座、(４)は、座(１)の後部に支持された背凭れである。背凭れ(４)は、アルミニウム合金製の背凭れフレーム(５)を有し、背凭れフレーム(５)には、メッシュ状の背凭れ板(６)が取り付けられ、さらに、背凭れ板(６)の前面には、背凭れクッション(７)が、上下の両側部のみが連結され、他部が前後方向に離間するようにして取り付けられている。
【００１２】
背凭れフレーム(５)は、左右１対の縦杆(８)の上端同士を接続する上部横杆(９)を有し、図３〜図６に示すように、上部横杆(９)のほぼ中央の前面(9a)には、矩形の凹部(9b)が設けられている。この凹部(9b)が設けられた上部横杆(９)の中央部は、背凭れクッション(７)より後方に離間し、そこにヘッドレスト(10)を支持するベースブラケット(11)等を備えるヘッドレスト支持手段(Ａ)が取り付けられている。
【００１３】
ベースブラケット(11)は、左右方向の中央付近の上下幅が両側の上下幅より狭くなった形状をなし、下方の左右隅部には、矩形の係止孔(11a)が穿設され、また上方の左右隅部の前面には、ナット(11b)が固着されている。
【００１４】
ベースブラケット(11)の後面には、前方に向けて貫通する左右１対のボルト(12)の頭部(12a)と、ボルト(12)の頭部(12a)を後面側から覆うように側面視ほぼコ字状に折曲され、かつ上部横杆(９)の凹部(9b)に係合して、位置決め用の突部となる突板(13)とが溶接等により固着されている。
【００１５】
ベースブラケット(11)は、突板(13)を凹部(9b)に嵌合させて、後面を上部横杆(９)の前面に当接し、かつクランプ手段である左右１対のクランプ板(14)(14)とにより、上部横杆(９)を前後から挾むようにして、各クランプ板(14)の下端に設けた下向突片(14a)を係止孔(11a)に係止し、かつ各クランプ板(14)の上端部に設けた上向きの取付片(14b)を、ベースブラケット(11)の後面上部に、ナット(11b)に螺合するボルト(15)をもって締着することにより、上部横杆(９)の前面中央に強固に固定されている。
【００１６】
なお、位置決め用の突部を、上部横杆(９)の前面中央に設け、それが嵌合する凹部を、ベースブラケット(11)の後面に設けてもよい。
【００１７】
(16)は、金属製丸棒をほぼ上向きコ字状に折曲して形成したスティで、左右１対の縦杆(16a)と、縦杆(16a)の下端同士を連結する横杆(16b)とを有している。図５に示すように、一方(図５における左方)の縦杆(16a)には、上下方向に所定の間隔をもって複数の係合溝(16c)が切設されている。
【００１８】
スティ(16)は、ばね鋼材を円筒状に巻回して形成した筒状部(17a)により横杆(16b)を所要の抵抗力をもって回動可能に把持する把持手段をなす左右１対の把持金具(17)(17)を、上記ボルト(12)とそれに螺合するナット(18)とにより、ベースブラケット(11)の前面に締着することにより、両縦杆(16a)がベースブラケット(11)の前面に当接する起立位置から、横杆(16b)の中央部に溶接した下向きのストッパ(16d)がベースブラケット(11)の前面に当接する前傾位置までの間を、所要の抵抗力をもって前後方向に回動しうるようにして、ベースブラケット(11)に装着されている(図１及び図４の想像線参照)。
【００１９】
ヘッドレスト(10)は、その内部に収容された左右方向を向く基板(19)の両側端に固着された上下方向を向く左右１対のブッシュ(20)に、スティ(16)の縦杆(16a)を挿入し、かつ図５における左側のブッシュ(20)の下部に設けられ、かつばね(図示略)によって付勢された爪部材(21)がいずれかの係合溝(16c)に弾性係合することにより、縦杆(16a)の長手方向に段階的に位置(高さ)調節しうるようになっている(図１、図２、及び図４における実線と想像線参照)。
【００２０】
また、ブッシュ(20)の下部に設けられた操作ボタン(22)を押すことにより、爪部材(21)を係合溝(16c)から完全に離脱させて、ヘッドレスト(10)をスティ(16)の縦杆(16a)から完全に抜き取ることができる。
【００２１】
(23)は、上部横杆(９)の前側に配置される前カバー(24)と、同じく後側に配置される後カバー(25)とからなり、ベースブラケット(11)、クランプ(14)、スティ(16)の横杆(16b)、及び上部横杆(９)の中央部を包み込むようにして前後から覆うカバーで、両カバー(24)(25)のヘッドレスト(10)の下面(10a)と対向する上面のほぼ中央には、ヘッドレスト(10)が、図１、２、及び図４に実線で示すように、下限に位置したとき、へッドレスト(10)の下面(10a)と、カバー(23)の上面との間に、手(Ｂ)を挿入しうる程度の隙間(26)を形成する凹部(24a)(25a)が形成されている。
【００２２】
したがって、ヘッドレスト(10)が下限まで移動して、ヘッドレスト(10)と背凭れクッション(７)との間に隙間がなくなっても、隙間(26)に手(Ｂ)を差し入れることにより、ヘッドレスト(10)を楽に持ち上げることができる。この場合、ヘッドレスト(10)の中央部が持ち上げられるので、ヘッドレスト(10)をバランスよく上昇させることができる。
【００２３】
また、椅子を移動する際に、凹部(24a)(25a)に手(Ｂ)を掛けて、凹部(24a)(25a)を取っ手代わりに使用することもできる。
【００２４】
前カバー(24)は、ベースブラケット(11)が上部横杆(９)に固定される以前に、予め複数の止めねじ(27)をもってベースブラケット(11)の前面に固定され、かつ特に図３に示すように、上片(24b)から前片(24c)にかけて、スティ(16)の縦杆(16a)を外部に導き出す左右の挿通溝(24d)が切設されている。前片(24c)側の挿通溝(24d)には、ヘッドレスト(10)を前傾させたとき、スティ(16)の各縦杆(16a)と横杆(16b)との連結部分である湾曲したコーナー部と前カバー(24)との干渉を防ぐため、左右方向の逃げ溝(24e)が連設されている。前カバー(24)の外周縁には、後方を向く複数の爪(24f)が突設されている。
【００２５】
後カバー(25)は、内側に前カバー(24)の爪(24f)が係止しうる複数の係止溝(25b)を有し、前カバー(24)の外周縁に、その外周縁を合わせて、爪(24f)を係止溝(25b)に係止させることにより、前カバー(24)に固定され、ベースブラケット(11)、上部横杆(９)の中央部、及び左右のクランプ板(14)等の後面を体裁よく覆っている。
【００２６】
【発明の効果】
本発明によれば、次のような効果を奏することができる。
(ａ)請求項１記載の発明によると、ヘッドレスト支持手段を、背凭れクッションより後方に離間した背凭れフレームの上部横杆に設けたので、従来のように、ヘッドレスト支持手段が、背凭れクッションのクッション性を局部的に阻害し、着座者に異物感を与えるといった問題を解決することができる。
また、従来のように、背凭れクッション等にヘッドレストを装着するための加工が施す必要がなく、また背凭れクッションと関係なく、ヘッドレストを着脱できるとともに、ヘッドレストを装着するものと、しないものとの間で、背凭れクッション及び背凭れフレーム等の共用化が可能になる。
【００２７】
さらに、背凭れの外装材にヘッドレスト支持手段の挿通部や開閉部を設ける必要がなく、ヘッドレストの着脱時に、上記開閉部を開閉させる手間も必要ない。
【００２８】
しかも、上部横杆にベースブラケットを強固に固定することができるとともに、クランプ手段を外すことにより、ヘッドレストを簡単に取り外すことができ、その際、上部横杆には、ねじ孔等の加工を何ら施す必要がないので、上部横杆を、美麗な状態のまま、ヘッドレストを備えない背凭れ用として共用することができる。
【００２９】
(ｂ)請求項２記載の発明によると、ベースブラケットを上部横杆に取り付ける際の位置決めを簡単に行なうことができ、かつベースブラケットを、がたつき等が生じることなく、上部横杆に強固に固定することができる、
【００３０】
(ｃ)請求項３記載の発明によると、ボルトの頭部を位置決め用の突部内に配設したので、全体の小型化、特に薄型化を図ることができる。
【００３１】
(ｄ)請求項４記載の発明によると、簡単な構成でもって、ヘッドレストの前後方向の傾斜角度を無段階に調整することができる。
【００３２】
(ｅ)請求項５記載の発明によると、簡単な構成でもって、ヘッドレストの前後方向の傾斜角度の調整だけでなく、上下調整をも図ることができる。
【図面の簡単な説明】
【図１】  本発明の一実施形態を備える椅子の側面図である。
【図２】  同じく、椅子の後面図である。
【図３】  同じく、要部の分解斜視図である。
【図４】  同じく、図２におけるIV−IV線に沿う縦断面図である。
【図５】  同じく、後カバー部を外した状態の要部の拡大後面図である。
【図６】  同じく、図２におけるVI−VI線に沿う横断面図である。
【符号の説明】
(Ａ)ヘッドレスト支持手段
(Ｂ)手
(１)座
(２)キャスター
(３)脚
(４)背凭れ
(５)背凭れフレーム
(６)背凭れ板
(７)背凭れクッション
(８)縦杆
(９)上部横杆
(9a)前面
(9b)凹部
(10)ヘッドレスト
(10a)下面
(11)ベースブラケット
(11a)係止孔
(11b)ナット
(12)ボルト
(12a)頭部
(13)突板(突部)
(14)クランプ板(クランプ手段)
(14a)下向突片
(14b)取付片
(15)ボルト
(16)スティ
(16a)縦杆
(16b)横杆
(16c)係合溝
(16d)ストッパ
(17)把持金具(把持手段)
(17a)筒状部
(18)ナット
(19)基板
(20)ブッシュ
(21)爪部材
(22)操作ボタン
(23)カバー
(24)前カバー
(24a)凹部
(24b)上片
(24c)前片
(24d)挿通溝
(24e)逃げ溝
(24f)爪
(25)後カバー
(25a)凹部
(25b)係止溝
(26)隙間
(27)止めねじ
【図１】
0004427162.tif 000002
【図２】
0004427162.tif 000003
【図３】
0004427162.tif 000004
【図４】
0004427162.tif 000005
【図５】
0004427162.tif 000006
【図６】
0004427162.tif 000007